(57)【要約】【課題】電子クーポンの利用を従来よりも促進することが可能な利用可能電子クーポン通知装置を提供する。【解決手段】外部から電子クーポン１００を取得して登録する電子クーポン取得部１１と、電子クーポン１００、電子クーポン１００に関するクーポン発行店舗名、店舗位置等の電子クーポン情報の電子クーポンリスト等を格納する格納部１２と、ＧＰＳ衛星２から送信されるＧＰＳ信号を受信して現在位置を算出する現在位置検出部１３と、電子クーポン情報等に基づき、現在位置に応じて利用可能な利用可能電子クーポンを検索して特定する利用可能クーポン特定部１４と、特定された利用可能電子クーポンを通知する利用可能クーポン通知部１５と、を備える構成を有している。【選択図】図１
2009217553.tif 000002
【特許請求の範囲】
【請求項１】
ＧＰＳ信号を受信して自装置の現在位置を検出する現在位置検出部と、電子クーポンと地域毎の電子クーポンの利用可能範囲と電子クーポンを利用可能な店舗の所在地とを少なくとも格納する格納部と、現在位置と現在位置に応じて決定される地域の電子クーポンの利用可能範囲と電子クーポンを利用可能な店舗の所在地とに基づいて利用可能電子クーポンを特定する利用可能クーポン特定部と、利用可能クーポンをユーザに通知する利用可能クーポン通知部とを備えることを特徴とする利用可能電子クーポン通知装置。
【請求項２】
前記格納部が、１つの電子クーポンについて、電子クーポンを利用可能な店舗の所在地を複数格納可能となっていることを特徴とする請求項１に記載の利用可能電子クーポン通知装置。
【発明の詳細な説明】
【技術分野】
【０００１】
本発明は、ネットワーク等を介して取得され携帯通信端末を介して使用される電子クーポンを利用するための利用可能電子クーポン通知装置に関する。
【背景技術】
【０００２】
電子クーポンは印刷されたクーポンに比較して利便性が高いことためその利用が促進され（例えば、特許文献１及び特許文献２参照。）、利用者が増加している。電子クーポンの利用を促進するため、例えば、非接触ＩＣカードを内蔵した携帯通信端末を介して電子クーポンの取得が検討されてきている。具体的には、内蔵された上記の非接触ＩＣカードに電子クーポンを非接触に発行すること、ワンセグ携帯を介して受信された画像中に表示することなどが、検討又は可能となってきている。
【０００３】
ここで、近年、携帯通信端末として様々な機能を有するものが普及してきた。そして、上記の帯通信端末に加え、現在位置を知得可能にするＧＰＳ（Global Positioning System）機能を有する携帯通信端末なども容易に入手可能となってきている。
【特許文献１】特開２００３−１４１４０６号公報
【特許文献２】特開２００５−２１５８４９号公報
【発明の開示】
【発明が解決しようとする課題】
【０００４】
しかしながら、従来の携帯通信端末では、利用可能な電子クーポンを保有してユーザの利用が充分に促進されないという問題を有していた。具体的には、ユーザは、電子クーポンを保有していることを忘れてしまったり、保有する電子クーポンの数が多くて記憶しきれなかったりし、後になってから思い出すことにもなっていた。
【０００５】
以上の現状に鑑み、本発明の目的は、電子クーポンの利用を従来よりも促進することが可能な利用可能電子クーポン通知装置を提供する。
【課題を解決するための手段】
【０００６】
上記の課題を解決すべく、本発明は以下の構成を提供する。
請求項１に係る発明は、ＧＰＳ信号を受信して自装置の現在位置を検出する現在位置検出部と、電子クーポンと地域毎の電子クーポンの利用可能範囲と電子クーポンを利用可能な店舗の所在地とを少なくとも格納する格納部と、現在位置と現在位置に応じて決定される地域の電子クーポンの利用可能範囲と電子クーポンを利用可能な店舗の所在地とに基づいて利用可能電子クーポンを特定する利用可能クーポン特定部と、利用可能クーポンをユーザに通知する利用可能クーポン通知部とを備えることを特徴とする。
【０００７】
請求項２に係る発明は、請求項１に記載の利用可能電子クーポン通知装置において、前記格納部が、１つの電子クーポンについて、電子クーポンを利用可能な店舗の所在地を複数格納可能となっていることを特徴とする。
【発明の効果】
【０００８】
請求項１に係る発明によれば、ＧＰＳ信号を受信して自装置の現在位置を検出する現在位置検出部と、電子クーポンと地域毎の電子クーポンの利用可能範囲と電子クーポンを利用可能な店舗の所在地とを少なくとも格納する格納部と、現在位置と現在位置に応じて決定される地域の電子クーポンの利用可能範囲と電子クーポンを利用可能な店舗の所在地とに基づいて利用可能電子クーポンを特定する利用可能クーポン特定部と、利用可能クーポンをユーザに通知する利用可能クーポン通知部とを備えるため、電子クーポンの利用を従来よりも促進することが可能な利用可能電子クーポン通知装置を実現することができる。
【０００９】
請求項２に係る発明によれば、上記請求項１の効果に加えて、格納部が、１つの電子クーポンについて、電子クーポンを利用可能な店舗の所在地を複数格納可能となっているため、電子クーポンの利用をさらに促進することができる。
【発明を実施するための最良の形態】
【００１０】
以下、実施例を示した図面を参照しつつ本発明の実施の形態について説明する。
図１は、本発明による利用可能電子クーポン通知システムの一実施例を模式的に示すブロック構成図である。利用可能電子クーポン通知装置１は、図１に示すように、外部から電子クーポン１００を取得して登録する電子クーポン取得部１１と、電子クーポン１００、電子クーポン１００に関する電子クーポン情報のリスト（以下、電子クーポンリストという。）等を格納する格納部１２と、ＧＰＳ衛星２から送信されるＧＰＳ信号を受信して現在位置を算出する現在位置検出部１３と、電子クーポン情報等に基づき、現在位置に応じて利用可能な電子クーポン（以下、利用可能電子クーポンという。）を検索して特定する利用可能クーポン特定部１４と、特定された利用可能電子クーポンを通知する利用可能クーポン通知部１５と、を備える。
【００１１】
電子クーポン取得部１１は、例えば非接触ＩＣカードを有し、これを介して非接触に取得した電子クーポン１００を格納部１２に格納し、電子クーポン情報を電子クーポンリストに登録するようになっている。ただし、電子クーポン取得部１１は、通信機能を有しネットワーク上の電子クーポンを取得するように構成されているのでもよい。
【００１２】
図２は、電子クーポンリストの一構成例を概念的に示す説明図である。電子クーポンリスト２００には、図２に示すように、電子クーポン毎に、このリストの名称（電子クーポンリスト）２０１、電子クーポンが使用可能な店舗（以下、クーポン発行店舗という。）の所在地を示す情報（以下、この所在地を店舗位置といい、この情報を店舗位置情報という。）２０２、２０３と、クーポン発行店舗の名称２０４と、電子クーポンの有効期限２０５とが電子クーポン情報としてリストされている。ここで、店舗位置情報は、図２に示すように、例えば店舗の場所を示す緯度２０２及び経度２０３からなるのでもよい。また、店舗位置情報は、１つの電子クーポンについて利用可能な店舗が複数ある場合、１つの電子クーポンについて複数登録可能となっている。
【００１３】
格納部１２は、電子クーポン及び電子クーポンリストの他に、地域毎の電子クーポンの利用可能範囲を示す情報（以下、クーポン利用範囲情報という。）を格納するのでもよい。以下、格納部１２にはクーポン利用範囲情報が格納されているものとする。
【００１４】
現在位置検出部１３は、受信したＧＰＳ信号に基づいて、現在位置を算出するようになっている。ＧＰＳ信号に基づいて現在位置を算出する技術については周知であるため、その説明を省略する。
【００１５】
利用可能クーポン特定部１４は、現在位置に応じた上記の地域を決定し、決定された地域についての利用可能範囲を算出し、店舗位置がこの利用可能範囲に含まれる電子クーポンを検索して利用可能電子クーポンとして特定するようになっている。ここで、利用可能範囲は例えば円内の領域として表され、円の大きさを特定する半径が地域毎にクーポン利用範囲情報として格納部１２に格納されるのでもよい。
【００１６】
利用可能クーポン通知部１５は、例えばディスプレイ、スピーカとその駆動回路等からなり、利用可能クーポン特定部１４が特定した利用可能電子クーポンを表示、音声出力等を介して通知するようになっている。注意を喚起するために、特にチャイム等の音を出力し又はバイブレータを振動させつつ利用可能電子クーポンを表示するのでもよい。
【００１７】
図３は、本発明による利用可能電子クーポン通知装置の動作について説明するフローチャートであり、（ａ）は電子クーポンの取得に関し、（ｂ）は利用可能電子クーポンの通知に関する。まず、電子クーポンの取得のための処理について説明する。電子クーポン取得部１１が、所定の方法で外部から電子クーポンを取得する（Ｓ１１１）。電子クーポンは、電子メールに添付されて取得されるのでも、かざされた利用可能電子クーポン通知装置１内の非接触ＩＣカードに非接触に送信されて取得されるのでも、その他の方法で取得されるのでもよい。
【００１８】
次に、電子クーポン取得部１１が、取得した電子クーポンから電子クーポン情報を抽出して（Ｓ１１２）電子クーポンリスト２００に登録し（Ｓ１１３）、電子クーポン１００を格納部１２に格納する（Ｓ１１４）。
【００１９】
次に、利用可能電子クーポンの通知のための処理について説明する。まず、現在位置検出部１３が、ＧＰＳ衛星２から送信されるＧＰＳ信号を受信して現在位置を算出する（Ｓ１２１）。ここで、現在位置は、電子クーポンリスト２００の店舗位置に対応させて算出され、図２に示す例では緯度及び経度で表されるものとする。
【００２０】
次に、利用可能クーポン特定部１４が、現在位置に基づいて電子クーポンの利用可能範囲を決定し（Ｓ１２２）、現在位置と利用可能範囲に基づいて利用可能電子クーポンを検索して特定する（Ｓ１２３）。次に、利用可能クーポン特定部１４が、利用可能電子クーポンを利用可能クーポン通知部１５に通知させる（Ｓ１２４）。
【産業上の利用可能性】
【００２１】
本発明による利用可能電子クーポン通知装置は、携帯通信端末等に内蔵され電子クーポンの利用を促進可能とするものであり、これらを介して利用される通信産業、これらの製造に関わる電子部品産業、電気産業、これらと流通上関わる商業等において利用可能であり、このような製品の有用性を増進する。
【図面の簡単な説明】
【００２２】
【図１】本発明による利用可能電子クーポン通知システムの一実施例を模式的に示すブロック構成図である。
【図２】電子クーポンリストの一構成例を概念的に示す説明図である。
【図３】本発明による利用可能電子クーポン通知装置の動作について説明するフローチャートであり、（ａ）は電子クーポンの取得に関し、（ｂ）は利用可能電子クーポンの通知に関する。
【符号の説明】
【００２３】
１  利用可能電子クーポン通知装置
２  ＧＰＳ衛星
１１  電子クーポン取得部
１２  格納部
１３  現在位置検出部
１４  利用可能クーポン特定部
１５  利用可能クーポン通知部
１００  電子クーポン
２００  電子クーポンリスト
２０１  リストの名称
２０２  店舗位置情報（緯度）
２０３  店舗位置情報（経度）
２０４  クーポン発行店舗の名称
２０５  電子クーポンの有効期限
【図１】
2009217553.tif 000003
【図２】
2009217553.tif 000004
【図３】
2009217553.tif 000005